(57)【要約】【課題】画像をカレンダー形式を用いて管理する際に、カレンダーが寂しい状態になることを防ぐ。【解決手段】写真シール作成装置は、撮影画像を生成する撮影手段と、撮影画像をサーバに送信する送信手段とを備え、上記サーバは、撮影画像と、撮影画像とは異なる、ユーザが所持するユーザ画像とを、日時情報に基づいてカレンダー上に表示する表示用データを生成する表示用データ生成手段とを備えている。【選択図】図２７
2014072800.tif 000002
【特許請求の範囲】
【請求項１】
写真シール作成装置と、サーバと、携帯端末とを備えている情報管理システムにおいて、
上記写真シール作成装置は、
ユーザを撮影して撮影画像を生成する撮影手段と、
上記撮影画像を編集するための編集情報の入力をユーザから受け付ける入力手段と、
上記撮影画像に、上記撮影画像の編集情報を紐付けて、上記サーバに送信する送信手段とを備え、
上記サーバは、
上記撮影画像および上記編集情報を受信する受信手段と、
上記撮影画像と、上記撮影画像とは異なる、ユーザが所持するユーザ画像とを、カレンダー上に表示する表示用データを生成する表示用データ生成手段と、
上記表示用データを、上記携帯端末に送信する送信手段とを備え、
上記携帯端末は、
上記表示用データを受信する受信する受信手段と、
上記表示用データを表示する表示手段とを備えていることを特徴とする情報管理システム。
【請求項２】
上記表示用データ生成手段は、上記写真シール作成装置の上記撮影手段が上記撮影画像を撮影した日時、または、上記サーバの受信手段が上記撮影画像を受信した日時のいずれかに関する日時情報に基づいて、上記表示用データを生成することを特徴とする請求項１に記載の情報管理システム。
【請求項３】
上記携帯端末は、
被写体を撮影して端末画像を生成する撮影手段と、
上記端末画像を上記サーバに送信する送信手段とをさらに備え、
上記サーバの上記受信手段は、上記端末画像を受信し、
上記表示用データ生成手段は、上記端末画像を上記ユーザ画像としてカレンダー上に表示する表示用データを生成することを特徴とする請求項１または２に記載の情報管理システム。
【請求項４】
上記表示用データ生成手段は、上記携帯端末の上記撮影手段が上記端末画像を撮影した日時、または、上記端末画像を保存した日時のいずれかに関する日時情報に基づいて、上記表示用データを生成することを特徴とする請求項３に記載の情報管理システム。
【請求項５】
上記サーバは、リンク情報および上記リンク情報に紐付けられている日時情報を管理するリンク情報管理手段をさらに備え、
上記表示用データ生成手段は、上記リンク情報を示すアイコンをさらにカレンダー上に表示する上記表示用データを生成することを特徴とする請求項１から４のいずれか１項に記載の情報管理システム。
【請求項６】
上記携帯端末は、上記携帯端末の位置情報を取得する位置情報取得手段をさらに備え、
上記携帯端末が備える送信手段は、上記位置情報を上記サーバに送信し、
上記サーバの上記受信手段は、上記位置情報を受信し、
上記サーバの上記リンク情報管理手段は、上記リンク情報、上記リンク情報の日時情報、および、上記リンク情報に紐付けられている地域情報を管理し、
上記表示用データ生成手段は、上記リンク情報の地域情報に基づいて、上記リンク情報を示すアイコンをカレンダー上に表示する表示用データを生成することを特徴とする請求項５に記載の情報管理システム。
【請求項７】
ユーザを撮影してユーザ画像を生成する撮影手段と、上記ユーザ画像を編集するための編集情報の入力をユーザから受け付ける入力手段と、上記ユーザ画像に、上記ユーザ画像の編集情報を紐付けて送信する送信手段とを備える写真シール作成装置と、携帯端末とともに情報管理システムを構成するサーバであって、
撮影画像および上記撮影画像の編集情報を受信する受信手段と、
上記撮影画像と、上記撮影画像とは異なる、ユーザが所持するユーザ画像とを、カレンダー上に表示する表示用データを生成する表示用データ生成手段と、
上記表示用データを、上記携帯端末に送信する送信手段とを備えていることを特徴とするサーバ。
【請求項８】
写真シール作成装置と、サーバと、携帯端末とを備えている情報管理システムが実行する情報管理方法において、
上記写真シール作成装置は、
ユーザを撮影して撮影画像を生成する撮影工程と、
上記撮影画像を編集するための編集情報の入力をユーザから受け付ける入力工程と、
上記撮影画像に、上記撮影画像の編集情報を紐付けて、上記サーバに送信する送信工程とを実行し、
上記サーバは、
上記撮影画像および上記編集情報を受信する受信工程と、
上記撮影画像と、上記撮影画像とは異なる、ユーザが所持するユーザ画像とを、カレンダー上に表示する表示用データを生成する表示用データ生成工程と、
上記表示用データを、上記携帯端末に送信する送信工程とを実行し、
上記携帯端末は、
上記表示用データを受信する受信する受信工程と、
上記表示用データを表示する表示工程とを実行することを特徴とする情報管理方法。
【発明の詳細な説明】
【技術分野】
【０００１】
本発明は、写真シール作成装置で撮影した画像を管理するための情報管理システムおよび情報管理方法、ならびに、情報管理システムを構成する写真作成装置およびサーバに関する。
【背景技術】
【０００２】
近年、写真シール作成装置の多くが通信機能を備えている。ユーザが通信機能を備える写真シール作成装置を利用して自身の画像を撮影すると、写真シール作成装置は、撮影した画像をサーバに送信する。ユーザは、たとえば携帯電話機などの携帯端末を用いてサーバから撮影した画像をダウンロードすることが可能である。すなわち、写真シール作成装置を利用して撮影した画像を、写真シールとして取得して楽しむだけにとどまらず、画像を自身の携帯端末に格納し、いつでも楽しむことが可能になっている。
【０００３】
携帯端末に格納する画像の数が増えてくると、画像の検索に伴う手間を軽減するために、ユーザは、これら多数の画像を効率よく管理したいと考える。
【０００４】
特許文献１に記載されている時計と画像の連動表示方法は、画像表示装置のメモリに記録されている撮影画像を再生表示すると、撮影日を日付に含む月間カレンダを再生画像に並べて表示し、撮影日に対応する日付を強調する。これにより、再生画像の撮影日時がわかりやすく、撮影時の情景や出来事などを思い出しやすくなる。
【０００５】
特許文献２に記載されている携帯端末は、スケジュール機能に加えて、電子メール機能、カメラ撮影機能またはブラウザ機能を備える携帯端末であって、電子メール受信時、カメラ撮影時などのデータを記憶部に記憶し、上記スケジュール機能が起動された際に、月間カレンダなどの日付の指定により、当該日付で記憶された電子メール、撮影画像などのデータを読み出し表示部に表示する。
【先行技術文献】
【特許文献】
【０００６】
【特許文献１】特開２０１２−６０６４７号公報（２０１２年３月２２日公開）
【特許文献２】特開２００５−２５０６０５号公報（２００５年９月１５日公開）
【発明の概要】
【発明が解決しようとする課題】
【０００７】
しかし、写真シール作成装置において撮影した撮影画像をカレンダー形式を用いて管理した場合、土、日、祝日などの学校が休みの日に撮影画像が集中する傾向がある。言い換えれば、カレンダー形式を用いる画像管理は、カレンダーの平日に画像が表示されない、または、非常に少ないという寂しい状態になりやすいという課題を有する。これは、写真シール作成装置の主なユーザが、中学生および高校生を中心とする学生であることに起因する。
【０００８】
本発明は、上記の課題を解決するためになされたものである。その目的は、写真シール作成装置において撮影した撮影画像を含むユーザと関連のある画像をカレンダー形式を用いて管理する際に、平日における画像表示が少なく、カレンダーが寂しい状態になることを防ぐことが可能な情報管理システム、サーバ、および、情報管理方法を提供することにある。
【課題を解決するための手段】
【０００９】
本発明に係る情報管理システムは、上記の課題を解決するために、
写真シール作成装置と、サーバと、携帯端末とを備えている情報管理システムにおいて、
上記写真シール作成装置は、
ユーザを撮影して撮影画像を生成する撮影手段と、
上記撮影画像を編集するための編集情報の入力をユーザから受け付ける入力手段と、
上記撮影画像に、上記撮影画像の編集情報を紐付けて、上記サーバに送信する送信手段とを備え、
上記サーバは、
上記撮影画像および上記編集情報を受信する受信手段と、
上記撮影画像と、上記撮影画像とは異なる、ユーザが所持するユーザ画像とを、カレンダー上に表示する表示用データを生成する表示用データ生成手段と、
上記表示用データを、上記携帯端末に送信する送信手段とを備え、
上記携帯端末は、
上記表示用データを受信する受信する受信手段と、
上記表示用データを表示する表示手段とを備えていることを特徴としている。
【００１０】
上記の構成によれば、ユーザは、写真シール作成装置において撮影した撮影画像と、ユーザが所持する画像であって撮影画像とは異なる画像であるユーザ画像とを、自身の携帯端末において閲覧可能である。その際、サーバは、撮影画像およびユーザ画像をカレンダー上に表示する表示用データを生成し、ユーザの携帯端末に送信する。ユーザの携帯端末は、表示用データを表示することによって、カレンダー上に撮影画像およびユーザ画像を表示可能である。一般的にユーザ画像は、特定の曜日に生成される傾向を有するものではない。したがって、携帯端末が表示するカレンダー上には、学校がお休みの日などの特定の日に偏ることなく撮影画像およびユーザ画像のいずれか表示される。
【００１１】
以上のように、本発明によれば、写真シール作成装置において撮影した撮影画像を含むユーザと関連のある画像をカレンダー形式を用いて管理する際に、平日における画像表示が少なく、カレンダーが寂しい状態になることを防ぐ効果を奏する。
【００１２】
本発明に係るサーバは、上記の課題を解決するために、
ユーザを撮影してユーザ画像を生成する撮影手段と、上記ユーザ画像を編集するための編集情報の入力をユーザから受け付ける入力手段と、上記ユーザ画像に、上記ユーザ画像の編集情報を紐付けて送信する送信手段とを備える写真シール作成装置と、携帯端末とともに情報管理システムを構成するサーバであって、
撮影画像および上記撮影画像の編集情報を受信する受信手段と、
上記撮影画像と、上記撮影画像とは異なる、ユーザが所持するユーザ画像とを、カレンダー上に表示する表示用データを生成する表示用データ生成手段と、
上記表示用データを、上記携帯端末に送信する送信手段とを備えていることを特徴としている。
【００１３】
本発明に係る情報管理方法は、上記の課題を解決するために、
写真シール作成装置と、サーバと、携帯端末とを備えている情報管理システムが実行する情報管理方法において、
上記写真シール作成装置は、
ユーザを撮影して撮影画像を生成する撮影工程と、
上記撮影画像を編集するための編集情報の入力をユーザから受け付ける入力工程と、
上記撮影画像に、上記撮影画像の編集情報を紐付けて、上記サーバに送信する送信工程とを実行し、
上記サーバは、
上記撮影画像および上記編集情報を受信する受信工程と、
上記撮影画像と、上記撮影画像とは異なる、ユーザが所持するユーザ画像とを、カレンダー上に表示する表示用データを生成する表示用データ生成工程と、
上記表示用データを、上記携帯端末に送信する送信工程とを実行し、
上記携帯端末は、
上記表示用データを受信する受信する受信工程と、
上記表示用データを表示する表示工程とを実行することを特徴としている。
【００１４】
上記の構成によれば、上述の情報管理システムと同様の効果を奏する。
【００１５】
本発明の一態様に係る情報管理システムでは、さらに、
上記表示用データ生成手段は、上記写真シール作成装置の上記撮影手段が上記撮影画像を撮影した日時、または、上記サーバの受信手段が上記撮影画像を受信した日時のいずれかに関する日時情報に基づいて、上記表示用データを生成することが好ましい。
【００１６】
上記の構成によれば、携帯端末が表示するカレンダー上において、撮影画像は、撮影手段が撮影画像を撮影した日時、または、サーバの受信手段が撮影画像を受信した日時に対応する領域に表示される。
【００１７】
本発明の一態様に係る情報管理システムでは、さらに、
上記携帯端末は、
被写体を撮影して端末画像を生成する撮影手段と、
上記端末画像を上記サーバに送信する送信手段とをさらに備え、
上記サーバの上記受信手段は、上記端末画像を受信し、
上記表示用データ生成手段は、上記端末画像を上記ユーザ画像としてカレンダー上に表示する表示用データを生成することが好ましい。
【００１８】
上記の構成によれば、携帯端末は、携帯端末において撮影した端末画像をサーバに送信する。サーバは、端末画像をユーザ画像としてカレンダー上に表示する表示用データを生成する。したがって、携帯端末は、カレンダー上に端末画像を表示可能である。
【００１９】
本発明の一態様に係る情報管理システムでは、さらに、
上記表示用データ生成手段は、上記携帯端末の上記撮影手段が上記端末画像を撮影した日時、または、上記端末画像を保存した日時のいずれかに関する日時情報に基づいて、上記表示用データを生成することが好ましい。
【００２０】
上記の構成によれば、携帯端末が表示するカレンダー上において、端末画像は、端末画像を撮影した日時、または、端末画像を保存した日時に対応する領域に表示される。
【００２１】
本発明の一態様に係る情報管理システムでは、さらに、
上記サーバは、リンク情報および上記リンク情報に紐付けられている日時情報を管理するリンク情報管理手段をさらに備え、
上記表示用データ生成手段は、上記リンク情報を示すアイコンをさらにカレンダー上に表示する上記表示用データを生成することが好ましい。
【００２２】
上記の構成によれば、携帯端末は、さらにカレンダー上にリンク情報を示すアイコンを表示可能である。したがって、ユーザは、カレンダーを閲覧している際に、カレンダーのみならずリンク情報を選択し閲覧することが可能である。
【００２３】
本発明の一態様に係る情報管理システムでは、さらに、
上記携帯端末は、上記携帯端末の位置情報を取得する位置情報取得手段をさらに備え、
上記携帯端末が備える送信手段は、上記位置情報を上記サーバに送信し、
上記サーバの上記受信手段は、上記位置情報を受信し、
上記サーバの上記リンク情報管理手段は、上記リンク情報、上記リンク情報の日時情報、および、上記リンク情報に紐付けられている地域情報を管理し、
上記表示用データ生成手段は、上記リンク情報の地域情報に基づいて、上記リンク情報を示すアイコンをカレンダー上に表示する表示用データを生成してもよい。
【００２４】
上記の構成によれば、サーバは、ユーザに対して携帯端末の位置情報、言い換えればユーザの位置情報に基づくリンク情報を示すアイコンを携帯端末に送信する。したがって、サーバは、ユーザにとってより有益なリンク情報を提供可能である。
【発明の効果】
【００２５】
本発明に係る情報管理システムによれば、写真シール作成装置において撮影した撮影画像を含むユーザと関連のある画像をカレンダー形式を用いて管理する際に、平日における画像表示が少なく、カレンダーが寂しい状態になることを防ぐ効果を奏する。
【図面の簡単な説明】
【００２６】
【図１】写真シール作成装置の外観の構成例を示す斜視図である。
【図２】写真シール作成装置の外観を他の角度からみた斜視図である。
【図３】ユーザの移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の詳細な構成例を示す機能ブロック図である。
【図１０】撮影処理部の詳細な構成例を示す機能ブロック図である。
【図１１】編集処理部の詳細な構成例を示す機能ブロック図である。
【図１２】写真シール作成ゲームを提供する処理について説明するフローチャートである。
【図１３】携帯送信後利用画像用の合成用画像選択画面の例を示す図である。
【図１４】携帯送信後利用画像のライブビュー表示画面の例を示す図である。
【図１５】携帯送信後利用画像の撮影結果の例を示す図である。
【図１６】編集処理について説明するフローチャートである。
【図１７】編集用パレットの例を示す図である。
【図１８】送信画像選択画面の例を示す図である。
【図１９】写真シール作成装置、サーバおよび携帯端末を備える情報管理システムの構成例を示すブロック図である。
【図２０】管理サーバの構成例を示すブロック図である。
【図２１】管理サーバの機能構成例を示すブロック図である。
【図２２】携帯端末の構成例を示すブロック図である。
【図２３】情報管理システムの一連の処理について説明するフローチャートである。
【図２４】より詳細な画像管理情報の例を示す図である。
【図２５】ブランドに応じた合成用画像の提供について説明する図である。
【図２６】より詳細な画像管理情報の他の例を示す図である。
【図２７】携帯端末が表示するカレンダーの例を示す図である。
【図２８】携帯端末が表示する画面の遷移の例を示す図である。（ａ）は撮影画像およびユーザ画像が存在する際の画面を示し、（ｂ）は撮影画像のみが存在する際の画面を示し、（ｃ）は撮影画像、ユーザ画像ともに存在しない際の画面を示す。
【図２９】（ａ）は携帯端末が表示するカレンダーの例を示す図であり、（ｂ）はユーザ画像のみが存在する際の画面を示す図である。
【図３０】携帯端末が表示するリンク情報の例を示す図である。
【図３１】携帯端末が表示するリンク情報の別の例を示す図である。
【発明を実施するための形態】
【００２７】
以下、本発明を適用した具体的な実施の形態について、図面を参照しながら詳細に説明する。
＜写真シール作成装置の構成とその動作＞
［写真シール作成装置の外観構成］
図１は、本発明の一実施形態に係る写真シール作成装置１の外観の構成例を示す斜視図である。
【００２８】
写真シール作成装置１は、撮影や編集等の作業をユーザにゲームとして行わせ、撮影画像や編集済み画像を提供する代わりにユーザより代金を受け取るゲーム機である。写真シール作成装置１はゲームセンタなどの店舗に設置される。ユーザは１人であることもあるし、複数人であることもある。
【００２９】
写真シール作成装置１が提供するゲームで遊ぶユーザは、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。ユーザは、編集済みの画像が印刷されたシール紙を受け取って一連のゲームを終了させることになる。
【００３０】
図１に示すように、写真シール作成装置１は、主に、撮影ユニット１１、編集部１２、および事後接客部１３から構成される。撮影ユニット１１と編集部１２が接した状態で置され、編集部１２と事後接客部１３が接した状態で設置される。
【００３１】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３２】
撮影部２１は撮影処理をユーザに行わせる装置である。撮影部２１は、撮影空間に入り、撮影処理を行っているユーザの正面に位置する。撮影空間を正面に望む面を構成する撮影部２１の正面パネル４１には、撮影処理時にユーザにより用いられるタッチパネルモニタなどが設けられる。撮影空間にいるユーザから見て左側の面を左側面、右側の面を右側面とすると、撮影部２１の左側面が側面パネル４２Ａにより構成され、右側面が側面パネル４２Ｂにより構成される。
【００３３】
背景部２２は、正面を向いて撮影処理を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図２）から構成される。
【００３４】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３５】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３６】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザにより選択された色のカーテンを下ろし、その他のカーテンを巻き取る。
【００３７】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、ユーザが所望する背景画像をカーテンの部分に合成することができるようにしてもよい。
【００３８】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３９】
編集部１２は、撮影処理によって得られた画像を編集する処理である編集処理をユーザに行わせる装置である。編集部１２は、一方の側面が撮影部２１の正面パネル４１の背面に接するように撮影ユニット１１に連結して設けられる。編集部１２には、編集処理時にユーザにより用いられるタブレット内蔵モニタなどの構成が設けられる。
【００４０】
図１に示す編集部１２の構成を正面側の構成とすると、２組のユーザが同時に編集処理を行うことができるように、編集部１２の正面側と背面側には編集処理に用いられる構成がそれぞれ設けられる。
【００４１】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００４２】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４３】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、ユーザが編集処理を行う編集空間となる。
【００４４】
図２は、写真シール作成装置１を別の角度から見た斜視図である。
【００４５】
事後接客部１３は事後接客処理をユーザに行わせる装置である。事後接客処理には、撮影画像や編集済みの画像を携帯電話機などの携帯端末に送信する処理、ミニゲームをユーザに行わせる処理、アンケートに答えさせる処理などが含まれる。
【００４６】
図２に示すように、事後接客部１３は、所定の厚さを有する板状の筐体を有しており、その背面が編集部１２の左側面に接するように編集部１２に連結して設けられる。事後接客部１３の正面には、事後接客処理時にユーザにより用いられるタブレット内蔵モニタや、撮影画像や編集済みの画像が印刷されたシール紙が排出される排出口などが設けられる。事後接客部１３の正面前方の空間が、シール紙への印刷が終わるのを待っているユーザが事後接客処理を行う事後接客空間となる。
【００４７】
ここで、写真シール作成ゲームの流れと、それに伴うユーザの移動について図３を参照して説明する。図３は、写真シール作成装置１を上から見た平面図である。
【００４８】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４９】
撮影処理を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５０】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集処理を開始する。編集空間Ａ２−１のユーザと、編集空間Ａ２−２のユーザは同時に編集処理を行うことができる。
【００５１】
編集処理が終了した後、撮影画像や編集済みの画像の中から選択された画像の印刷が開始される。画像の印刷中、編集処理を終えたユーザは、編集空間Ａ２−１で編集処理を行っていた場合には白抜き矢印＃５で示すように編集空間Ａ２−１から事後接客空間Ａ３に移動して事後接客処理を行う。また、編集処理を終えたユーザは、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５２】
画像の印刷が終了したとき、ユーザは、事後接客部１３に設けられた排出口からシール紙を受け取り、一連の写真シール作成ゲームを終えることになる。
［各装置の構成］
次に、各装置の構成について説明する。
【００５３】
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５４】
正面パネル４１は撮影空間Ａ１で撮影処理を行うユーザの正面に位置し、側面パネル４２Ａと側面パネル４２Ｂは、それぞれ、撮影空間Ａ１で撮影処理を行うユーザの左側、右側に位置する。側面パネル４２Ａの上方には連結部２３Ａが固定され、側面パネル４２Ｂの上方には連結部２３Ｂが固定される。
【００５５】
正面パネル４１のほぼ中央には撮影・表示ユニット８１が設けられる。撮影・表示ユニット８１は、カメラ９１、正面ストロボ９２、およびタッチパネルモニタ９３から構成される。
【００５６】
カメラ９１は、CCD(Charge Coupled Device)などの撮像素子により構成され、撮影空間Ａ１にいるユーザを撮影する。カメラ９１により取り込まれた動画像は、タッチパネルモニタ９３にリアルタイムで表示される。ユーザにより撮影が指示されたときなどの所定のタイミングでカメラ９１により取り込まれた画像は撮影画像（静止画像）として保存される。
【００５７】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、ユーザの選択操作をタッチパネルにより受け付ける機能とを備えている。タッチパネルモニタ９３には、適宜、背景等の画像が合成された後の動画像が表示される。
【００５８】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５９】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６０】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量が調整されることによって、または、発光させる蛍光灯の数が調整されることによって、撮影空間Ａ１内の明るさが、ユーザが行っている撮影処理の内容に応じて適宜調整される。
【００６１】
足元ストロボ８６の右側には、ユーザがお金を投入する硬貨投入返却口８７が設けられる。
【００６２】
下ストロボ８５を挟んでベース部４３の上面の左右に形成されるスペース４３Ａおよび４３Ｂは、撮影処理を行うユーザが手荷物等を置くための荷物置き場として用いられる。正面パネル４１の例えば天井付近には、撮影処理の案内音声、BGM(Back Ground Music)、効果音等の音を出力するスピーカも設けられる。
【００６３】
図５は、背景部２２の撮影空間Ａ１側の構成例を示す図である。
【００６４】
上述したように、背面パネル５１の上方には背景カーテンユニット２５が設けられる。背景カーテンユニット２５のほぼ中央には、撮影空間Ａ１内で撮影処理を行っているユーザを後方中央から照射する背面中央ストロボ１０１が取り付けられる。
【００６５】
背面パネル５１の上方であって、出入り口Ｇ１側の位置には、撮影空間Ａ１内で撮影処理を行っているユーザを左後方から照射する背面左ストロボ１０２が取り付けられる。また、背面パネル５１の上方であって、出入り口Ｇ２側の位置には、撮影空間Ａ１内で撮影処理を行っているユーザを右後方から照射する背面右ストロボ１０３が取り付けられる。
【００６６】
図６は、編集部１２の正面側（編集空間Ａ２−１側）の構成例を示す図である。
【００６７】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６８】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方のユーザにより用いられ、タッチペン１３２Ｂは他方のユーザにより用いられる。
【００６９】
編集部１２の左側には事後接客部１３が設けられる。
【００７０】
図７は、事後接客部１３の正面側の構成例を示す図である。
【００７１】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００７２】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００７３】
非接触型ICリーダ／ライタ１６３は、近接された非接触型ICと通信を行い、非接触型ICからのデータの読み出しや非接触型ICに対するデータの書き込みを行う。
【００７４】
シール紙排出口１６４には、編集空間Ａ２−１のユーザが編集処理を行うことによって作成した画像が印刷されたシール紙、または、編集空間Ａ２−２のユーザが編集処理を行うことによって作成した画像が印刷されたシール紙が排出される。編集部１２の内部にはプリンタが設けられており、画像の印刷がそのプリンタにより行われる。
【００７５】
スピーカ１６５は、事後接客処理の案内音声、BGM、効果音等の音を出力する。
［写真シール作成装置の内部構成］
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００７６】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３（送信手段、受信手段）、ドライブ２０４、ROM２０６、RAM(Random Access Memory)２０７が接続される。制御部２０１には、撮影部２０８、編集部２０９、事後接客部２１０、および印刷部２１１の各構成も接続される。
【００７７】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００７８】
通信部２０３はインターネットなどのネットワークのインタフェースであり、制御部２０１による制御に従って外部の装置と通信を行う。
【００７９】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８０】
ROM２０６には、制御部２０１において実行されるプログラムやデータが記憶されている。RAM２０７は、制御部２０１が処理するデータやプログラムを一時的に記憶する。
【００８１】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００８２】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８３】
背景制御部２２２は、制御部２０１より供給される背景制御信号に従って背景カーテンユニット２５に収納されている背景カーテンの上げ下ろしを行う。背景カーテンの選択がユーザにより手動で行われるようにしてもよい。
【００８４】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００８５】
また、照明制御部２２３は、各ストロボの内部に設けられる蛍光灯の発光量を調整することによって、または、発光させる蛍光灯の数を調整することによって、ユーザが行っている撮影処理の段階に応じて撮影空間Ａ１内の明るさを調整する。
【００８６】
カメラ９１は、制御部２０１による制御に従って撮影を行い、撮影によって得られた画像（撮影画像）を制御部２０１に出力する。
【００８７】
編集部２０９Ａは、編集空間Ａ２−１における編集処理を行う構成として編集部１２の正面側に設けられるタブレット内蔵モニタ１３１、タッチペン１３２Ａ，１３２Ｂ（入力手段）、およびスピーカ２３１から構成される。編集部２０９Ｂも編集部２０９Ａと同一の構成を有しており、編集空間Ａ２−２における編集処理を行う。
【００８８】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の撮影画像の編集が行われる。
【００８９】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００９０】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいるユーザを相手とした処理を行う構成となる。
［制御部の構成］
次に、制御部２０１について説明する。図９は、制御部２０１がROM２０６などに格納されているプログラムを実行することにより実現される機能ブロックの構成例を示している。
【００９１】
制御部２０１は、写真シール作成ゲームを開始する際に投入される代金に関する処理やユーザグループを撮影する等の写真シール作成ゲームの撮影作業の工程に関する処理を行う撮影処理部３０２（撮影手段）、撮影画像に対する落書き編集等の写真シール作成ゲームの編集作業の工程に関する処理を行う編集処理部３０３、シール紙の印刷等の写真シール作成ゲームの印刷の工程に関する処理を行う印刷処理部３０４、および、編集作業を終了したユーザグループを接客する写真シール作成ゲームの事後接客の工程に関する処理を行う事後接客処理部３０５を有する。撮影画像が撮影された日時に関する日時情報を生成する日時情報生成手段は、撮影処理部３０２に含まれている。
【００９２】
つまり、制御部２０１は、写真シール作成ゲームの各工程に関する処理の制御を行う。
［撮影処理部の構成］
図１０は、図９の撮影処理部３０２のさらに詳細な構成例を示す機能ブロック図である。
【００９３】
図１０の例において、撮影処理部３０２は、進行制御部３１１、撮影準備処理部３１２、合成用画像選択制御部３１３、ライブビュー表示制御部３１４、撮影画像取得部３１５、合成画像処理部３１６、用途選択制御部３１７、明るさ決定処理部３１８、目サイズ決定処理部３１９、および用途情報生成部３２０から構成される。
【００９４】
進行制御部３１１は、撮影作業の工程の進行を制御する。
【００９５】
撮影準備処理部３１２は、写りの調整や明るさの調整等、撮影の準備に関する処理を行う。
【００９６】
合成用画像選択制御部３１３は、背景や前景などからなる合成用画像をタッチパネルモニタ９３に表示して、ユーザにより行われる合成用画像の選択に関する処理を制御する。
【００９７】
ライブビュー表示制御部３１４は、タッチパネルモニタ９３の表示（ライブビュー表示）に関する処理を行う。
【００９８】
撮影画像取得部３１５は、撮影、特に、撮影画像の取得に関する処理を行う。
【００９９】
合成画像処理部３１６は、撮影画像の合成等の、合成画像の生成に関する処理を行う。
【０１００】
用途選択制御部３１７は、事後接客において、撮影画像や編集済みの画像が携帯端末に送信された後、ユーザによって携帯端末上でその画像が利用される用途の、ユーザによる選択に関する処理を制御する。
【０１０１】
明るさ決定処理部３１８は、撮影画像の明るさの決定に関する処理を行う。
【０１０２】
目サイズ決定処理部３１９は、撮影画像における被写体の目のサイズの決定に関する処理を行う。
【０１０３】
用途情報生成部３２０は、上述した用途を表す用途情報の生成に関する処理を行う。用途情報は、事後接客において、撮影画像や編集済みの画像が携帯端末に送信された後、ユーザによって携帯端末上でその画像が利用される、その用途を表す情報である。用途としては、詳細は後述するが、携帯端末に送信された画像を、グリーティングカードの代わりとしてユーザの友達等にメールや専用Webサイトを介して送信すること、インターネット等の通信ネットワークを介してやりとりされるメールやブログに添付される装飾画像（デコ画像）として用いること、撮影時のユーザの状態、具体的には、撮影時のユーザの装いを記録するための記録用画像として保存すること等がある。
［編集処理部の構成］
図１１は、図９の編集処理部３０３のさらに詳細な構成例を示す機能ブロック図である。
【０１０４】
図１１の例において、編集処理部３０３は、進行制御部３５１、編集準備処理部３５２、入力受付制御部３５３、編集画面表示制御部３５４、および落書き編集処理部３５５から構成される。
【０１０５】
進行制御部３５１は、編集作業の工程の進行を制御する。
【０１０６】
編集準備処理部３５２は、編集対象画像の選択等、編集の準備に関する処理を行う。
【０１０７】
入力受付制御部３５３は、タブレット内蔵モニタ１３１を制御し、タブレット内蔵モニタ１３１に表示される各種のGUIに対してユーザにより行われる操作入力を受け付ける処理を行う。
【０１０８】
編集画面表示制御部３５４は、タブレット内蔵モニタ１３１に表示される編集画面の表示や、その編集画面上における各種のGUIの表示に関する処理を行う。
【０１０９】
落書き編集処理部３５５は、ユーザによるタッチペン１３２を用いた入力操作に応じて、編集画像に対して落書き編集に関する処理を行う。
［写真シール作成装置の動作］
次に、図１２のフローチャートを参照して、写真シール作成ゲームを提供する写真シール作成装置１の処理について説明する。
【０１１０】
ステップＳ１において、写真シール作成装置１の制御部２０１の撮影処理部３０２は、所定の金額分の硬貨が投入されたか否かを硬貨処理部２２１から供給される信号に基づいて判定し、投入されたと判定するまで待機する。
【０１１１】
硬貨が投入されたとステップＳ１において判定した場合、ステップＳ２において、撮影処理部３０２は、撮影部２０８を制御し、カメラ９１に取り込まれた被写体の動画像をタッチパネルモニタ９３にライブビュー表示させ、撮影空間Ａ１にいるユーザを被写体として撮影する撮影処理を行う。ステップＳ２は、撮影処理時間内において複数回行われる。
【０１１２】
ステップＳ３において、撮影処理部３０２は、撮影空間Ａ１にいるユーザに対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１１３】
ステップＳ４において、編集処理部３０３は、編集空間Ａ２−１と編集空間Ａ２−２のうち、撮影処理を終えたユーザの移動先とした方の編集空間に対応する編集部２０９を制御し、編集処理を行う。具体的には、編集処理部３０３は、編集対象画像として選択された撮影画像に合成する合成用画像をユーザに選択させ、選択された合成用画像を撮影画像に合成させ、得られた合成画像に対して、ユーザによる編集操作に従って編集を行う。なお、編集処理については、図１６のフローチャートを参照して後述する。
【０１１４】
ステップＳ５において、編集処理部３０３は、編集空間Ａ２−１または編集空間Ａ２−２で編集処理を終えたユーザに対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１５】
ステップＳ６において、印刷処理部３０４は、ユーザにより選択された画像をプリンタ２４１に出力してシール紙に印刷させる印刷処理を行う。
【０１１６】
ステップＳ７において、事後接客処理部３０５は、事後接客部２１０を制御し、印刷終了待機中のユーザに対する事後接客処理を行う。具体的には、事後接客処理部３０５は、撮影画像や編集済みの画像を携帯端末に送信する携帯送信ゲーム処理を事後接客処理として行い、携帯端末の電子メールアドレスの入力画面や、送信する画像の選択画面をタブレット内蔵モニタ１６１に表示させ、ユーザによる操作に応じて画像を送信する。
【０１１７】
印刷が終了すると、ステップＳ８において、事後接客処理部３０５は、印刷が終了した旨をタブレット内蔵モニタ１６１に表示させ、プリンタ２４１は、画像が印刷されたシール紙をシール紙排出口１６４に排出し、処理を終了させる。
【０１１８】
写真シール作成装置１では、事後接客における携帯送信ゲームによってユーザの携帯端末に送信される画像であって、携帯端末上でユーザにより利用される携帯送信後利用画像である「使えるプリ画」の撮影が可能である。「使えるプリ画」の用途には、「お祝いメール」、「ブログデコ」、および「コーデアルバム」の３つがある。本実施形態では、「コーデアルバム」の例を説明する。「コーデアルバム」は、携帯端末に送信された画像を、撮影時のユーザの状態、具体的には、撮影時のユーザの装い（服装、ネイル、化粧、アクセサリ等の装飾品）を記録するための記録用画像として保存することを目的とする用途である。
【０１１９】
図１３は、用途として「コーデアルバム」が選択されたときにタッチパネルモニタ９３に表示される、使えるプリ画用の合成用画像選択画面の例を示している。図１３の合成用画像選択画面においては、「コーデアルバム」の合成用画像として、６枚の合成用画像が、モデルを被写体とした撮影画像に合成されて表示されている。その６枚の合成用画像のうち、下段の３枚は、１人用の合成用画像（１人用合成用画像）であり、上段の３枚は、２人用の合成用画像（２人用合成用画像）である。１人用合成用画像は、ユーザ（被写体）が２人であっても、撮影画像からそれぞれの被写体がトリミングされたトリミング画像に合成される合成用画像であり、２人用合成用画像は、２人の被写体の撮影画像に合成される合成用画像である。「コーデアルバム」の合成用画像（１人用合成用画像および２人用合成用画像）は、撮影画像（トリミング画像）における被写体の前景として合成される前景画像、被写体の背景として合成される背景画像、および、ユーザ（被写体）の身につけているアイテムを紹介するための画像であるアイテムスタンプのうち少なくとも１つを含む画像である。なお、背景画像の色は、タブ４３３の右端の表示されているカラーパレットにより選択されてもよいし、選択された合成用画像に応じて決定されるようにしてもよい。ユーザによって、合成用画像が選択されると、その合成用画像は選択合成用画像表示領域４３４に表示され、決定ボタン４３５が選択されることで、その合成用画像が確定される。なお、１人用合成用画像が選択され確定された場合、もう１枚の１人用合成用画像が選択可能となる。すなわち、１人用合成用画像は、２枚（２人分）選択されるようになる。
【０１２０】
図１４は、用途として「コーデアルバム」が選択され、合成用画像として１人用合成用画像が選択されたときの、タッチパネルモニタ９３におけるライブビュー表示画面の例を示している。この場合、２人の被写体が写っている、図１４の左側に示されるカメラ９１の取り込み画像５１１に対して、被写体部分それぞれがトリミングされる。図１４の右側に示されるライブビュー表示画面は、１人用合成用画像とカメラ９１の取り込み画像５１１からトリミングされた被写体それぞれの画像を合成した合成画像をライブビュー表示するライブビュー表示領域５１２，５１３、およびカウントダウンインジケータ５１４から構成されている。ライブビュー表示領域５１２には、図示しない合成用画像選択画面において選択された１人目の１人用合成用画像と、取り込み画像５１１からトリミングされた左側の被写体の画像とが合成された合成画像が表示され、ライブビュー表示領域５１３には、図示しない合成用画像選択画面において選択された２人目の１人用合成用画像と、取り込み画像５１１からトリミングされた右側の被写体の画像とが合成された合成画像が表示されている。また、ライブビュー表示領域５１２とライブビュー表示領域５１３との間には、いずれかの合成画像に合成されている合成用画像と、モデルを被写体とした撮影画像とが合成されたモデルサンプル画像が表示されている。図１４のライブビュー表示画面においては、カウントダウンインジケータ５１４で示される数字が０になり「shot!!」となったときに、ライブビュー表示領域５１２，５１３に表示されている合成画像がそれぞれ携帯送信後利用画像として得られる。
【０１２１】
図１５は、用途として「コーデアルバム」が選択され、合成用画像として１人用合成用画像が選択された場合の、タッチパネルモニタ９３に表示される撮影結果の例を示している。タッチパネルモニタ９３に表示される撮影結果としては、「使えるプリ画」として得られた携帯送信後利用画像５２１，５２２がそれぞれ表示される。
【０１２２】
このように、「コーデアルバム」の使えるプリ画の撮影において、合成用画像として１人用合成用画像が選択された場合には、１回の撮影で、複数人（２人）のユーザそれぞれについての携帯送信後利用画像（使えるプリ画）として、異なる２枚の画像を得ることができる。これにより、ユーザに、複数回の撮影作業を行わせることなく、すなわち、煩わしさを与えることなくスムーズに、異なる画像を提供することが可能となる。
［編集処理の例］
次に、図１６のフローチャートを参照して、図１２のステップＳ４において実行される編集処理の詳細な流れの例を説明する。なお、この編集処理は、実際には、編集空間Ａ２−１または編集空間Ａ２−２のうち、写真シール作成ゲームの撮影工程をプレイしたユーザが移動した方の編集空間に対して実行されるが、いずれの編集空間に対する場合も同様の処理が実行されるので、以下においては説明の簡略化のため、ユーザが編集空間Ａ２−１に移動したか編集空間Ａ２−２に移動したかを特に明言せずに、編集空間Ａ２に移動したものとして説明する。
【０１２３】
編集処理が開始されると、ステップＳ８１において、編集準備処理部３５２は、撮影部２０８によって得られた撮影画像を、用途情報とともに記憶部２０２から取得する。
【０１２４】
ステップＳ８２において、編集準備処理部３５２は、記憶部２０２から取得した撮影画像を、タブレット内蔵モニタ１３１に表示させることで、それら複数枚（例えば６枚）の撮影画像を編集対象画像（キープ画像）として選択させる。なお、ボーナス撮影が行われた場合には、編集準備処理部３５２は、ユーザに、複数枚（例えば６枚）の撮影画像とボーナス撮影による撮影画像の中から、複数枚（例えば６枚）の編集対象画像（キープ画像）を選択させる。
【０１２５】
ステップＳ８３において、編集準備処理部３５２は、タブレット内蔵モニタ１３１に、シール紙のレイアウト（配置）を決定する写真シールの分割パターンを選択させる分割パターン選択画面を表示させ、ユーザに分割パターンを選択させる。ユーザが分割パターンを選択すると、編集準備処理部３５２は、次に、タブレット内蔵モニタ１３１に編集開始ボタンのGUI画像を表示する。ユーザは、タッチペン１３２を操作して、その編集開始ボタンを押下操作する。編集開始ボタンが押下操作されると、タブレット内蔵モニタ１３に編集作業用のGUIである編集画面が表示されるので、ユーザは落書き編集作業を開始することができる。
【０１２６】
そして、編集開始ボタンが操作されたと判定された場合、ステップＳ８４において、編集画面表示制御部３５４は、タブレット内蔵モニタ１３１に、撮影画像に対する落書き編集をユーザに入力させるGUI画面である編集画面を表示させる。
【０１２７】
ステップＳ８５において、入力受付制御部３５３は、編集部２０９のタブレット内蔵モニタ１３１やタッチペン１３２を制御し、ユーザによる編集画面に対する落書き編集入力の受け付けを開始する。
【０１２８】
ステップＳ８６において、入力受付制御部３５３は、タブレット内蔵モニタ１３１より供給される入力信号（すなわち、タッチペン１３２の位置情報）に基づいて、ユーザによる指示が入力された（GUIに対する操作が行われた）か否かを判定する。ユーザ等によりタッチペン１３２が操作され、タブレット内蔵モニタ１３１に対して位置情報が入力されたと判定した場合、入力受付制御部３５３は、処理をステップＳ８７に進め、落書き編集処理部３５５は、入力座標に基づいて入力された指示内容を把握し、その指示に対応する処理を行う。
【０１２９】
このような入力に対応する処理が終了すると、落書き編集処理部３５５は、処理をステップＳ８８に進める。なお、ステップＳ８６において指示が入力されていないと判定した場合、落書き編集処理部３５５は、ステップＳ８７の処理を省略し、ステップＳ８８に処理を進める。
【０１３０】
ステップＳ８８において、進行制御部３５１は、所定の時間（制限時間）が経過したか、または、終了ボタンが操作されたか否かを判定し、制限時間にも達しておらず、終了ボタンも操作されていないと判定した場合、進行制御部３５１は、処理をステップＳ８６に戻し、それ以降の処理を繰り返す。つまり、進行制御部３５１は、所定の時間が経過した、または、終了ボタンが操作されたと判定されるまで、ステップＳ８６乃至ステップＳ８８の処理を繰り返し、落書き編集入力に対する処理を行う。そして、ステップＳ８８において、所定の時間が経過した、または、終了ボタンが操作されたと判定した場合、進行制御部３５１は、処理をステップＳ８９に進める。
【０１３１】
ステップＳ８９において、進行制御部３５１は、落書き編集が行われた編集画像（落書き編集結果）を印刷用の画像を作成するために、印刷対象画像として保存する。なお、この「保存する」とは、単に編集結果である編集画像を印刷処理に提供することを示すものであり、実際に、データを、RAM２０７や記憶部２０２に保存するかしないかは任意である。
【０１３２】
ステップＳ９０において、進行制御部３５１は、編集画面の表示を終了し、編集入力の受け付けを終了する。ステップＳ９０の処理を終了すると、進行制御部３５１は、編集処理を終了し、処理を図１２のステップＳ４に戻し、ステップＳ５以降の処理が実行される。
［編集用パレットの例］
図１７は、用途が「コーデアルバム」である使えるプリ画専用の編集ツールが表示された編集用パレットの例を示している。
【０１３３】
図１７の編集パレットには、「アイテムスタンプ」タブが設けられており、アイテムスタンプアイコン６８１−１乃至６８１−１６が表示されている。
【０１３４】
アイテムスタンプアイコン６８１は、「コーデアルバム」の使えるプリ画において、ユーザ（被写体）の身につけている装い（服装、ネイル、化粧品、アクセサリ等の装飾品）の種類やブランド名を紹介するためのアイテムスタンプのアイコンである。アイテムスタンプは、図示しない編集画像表示部に表示されている編集対象画像に合成される編集用合成用画像の１つである。図１７の例では、アイテムスタンプアイコン６８１−１乃至６８１−１６の１６種類のアイコンが表示されるようになされているが、アイテムスタンプアイコン６８１−１以外のアイコンの図示は省略するものとする。
【０１３５】
なお、「コーデアルバム」の使えるプリ画専用の編集ツールとして、「コーデアルバム」の使えるプリ画専用のペンツールを用意するようにしてもよい。
【０１３６】
以上のような編集用パレットによれば、携帯送信後利用画像（使えるプリ画）に対して、その用途に応じた編集を行うことができるようになる。
【０１３７】
なお、携帯送信後利用画像（使えるプリ画）の合成用画像部分に対する編集が行われる際、図示しない編集画像表示部において、編集可能な部分がわかるように、撮影画像部分に斜線を施したり、撮影画像部分の表示をグレースケール表示とするようにしてもよい。
【０１３８】
なお、編集処理部３０３による編集処理によって得られた編集済み画像は、通常の撮影によって得られた撮影画像であるか、携帯送信後利用画像（使えるプリ画）であるかに関わらず、ユーザによって選択された編集済み画像が、印刷処理部３０４による印刷処理によってシール紙に印刷され、事後接客処理部３０５による事後接客処理としての携帯送信ゲーム処理によって携帯端末に送信される携帯送信用画像に決定される。通常の撮影によって得られた撮影画像とは、たとえば図２８（ｂ）に示す撮影画像８１０ａ、８１０ｂおよび８１０ｃの編集前の画像である。
【０１３９】
図１９は、タッチパネルモニタ９３に表示される送信画像選択画面６０１を示す図である。送信画像選択画面６０１には、送信対象画像６１１と、送信画像表示部６１２と、決定ボタン６１３とが表示されている。送信対象画像６１１は、編集済み画像および使えるプリ画の一覧が表示されている。例えば、送信対象画像６１１には、送信用の画像として、編集済み画像、ペア画像、およびプロフィール画像などのサムネイル画像が表示される。この送信対象画像６１１に対して、利用者は、編集済み画像やペア画像等のサムネイル画像上を、タッチペン１６２Ａまたは１６２Ｂを用いてタップすることにより、その画像を、管理サーバ７０３に送信する送信画像として選択する。すなわち、管理サーバ７０３には、使えるプリ画以外の編集済みの画像も送信される。サイトの会員に対しては、送信選択した画像以外の画像も閲覧可能な設定とし、非会員に対しては、送信選択した画像のみを閲覧可能な設定としてもよい。
【０１４０】
また、印刷処理部３０４には、通常の撮影によって得られた撮影画像のみをシール紙に印刷させ、事後接客処理部３０５には、携帯送信後利用画像（使えるプリ画）のみを携帯送信用画像に決定させるようにしてもよい。
【０１４１】
これにより、ユーザに、撮影時に、得られる画像が携帯端末に送信されることをより強く意識させることができ、ユーザにとってより一層満足度の高い画像を提供することが可能となる。
＜写真シール作成装置を含む情報管理システムの構成とその動作＞
［情報管理システムの構成例］
図１９は、上述で説明してきた写真シール作成装置１を含む情報管理システムの構成例を示している。
【０１４２】
図１９の情報管理システムは、写真シール作成装置１、携帯端末７０２、および管理サーバ７０３から構成される。携帯端末７０２は、写真シール作成装置１が提供するゲームを行い、シール紙を受け取るユーザが携帯している携帯電話機などの端末であり、管理サーバ７０３は、例えば写真シール作成装置１のメーカが管理するサーバである。
【０１４３】
写真シール作成装置１と管理サーバ７０３の間、携帯端末７０２と管理サーバ７０３の間の情報の送受信は、インターネットなどの通信ネットワークを介して行われる。
【０１４４】
写真シール作成装置１において生成された撮影画像は、撮影画像の日時情報ともに管理サーバ７０３に送信される。管理サーバ７０３においては、携帯端末７０２のユーザによる写真シール作成装置１の利用によって得られた撮影画像（以下において、携帯送信用画像とも表現する）が、その撮影画像を管理するための画像管理情報に基づいて管理されている。
【０１４５】
ユーザが所持する携帯端末７０２は、管理サーバ７０３からダウンロードすることによって、写真シール作成装置１において撮影した撮影画像を取得可能である。
【０１４６】
写真シール作成装置１には、非接触型ICとの間で近接通信を行う非接触型ICリーダ／ライタ１６３が設けられ、携帯端末７０２には非接触型ICが内蔵されている。図１９の情報管理システムにおいて、写真シール作成装置１と携帯端末７０２との間の情報の送受信は、携帯端末７０２が写真シール作成装置１のリーダライタにかざされたときに、非接触型ICを用いた近接通信により行われる。
［管理サーバの構成例］
図２０は、管理サーバ７０３の構成例を示すブロック図である。
【０１４７】
CPU(Central Processing Unit)７１１、ROM７１２、RAM７１３は、バス７１４により相互に接続される。
【０１４８】
バス７１４には、さらに、入出力インタフェース７１５が接続される。入出力インタフェース７１５には、キーボード、マウスなどよりなる入力部７１６、ディスプレイ、スピーカなどよりなる出力部７１７が接続される。また、入出力インタフェース７１５には、ハードディスクや不揮発性のメモリなどより構成され、各種の情報を記憶する記憶部７１８、ネットワークインタフェースなどより構成され、写真シール作成装置１や携帯端末７０２と通信を行う通信部７１９（送信手段、受信手段）、リムーバブルメディア７２１を駆動するドライブ７２０が接続される。
【０１４９】
記憶部７１８には、写真シール作成装置１から送信されてきた携帯送信用画像、その携帯送信用画像を管理するための画像管理情報、管理サーバ７０３が管理する各種のサイト（Webサイト）の情報などが記憶される。
【０１５０】
図２１は、管理サーバ７０３の機能構成例を示すブロック図である。図２１に示す機能部のうちの少なくとも一部は、図２０のCPU７１１により所定のプログラムが実行されることによって実現される。管理サーバ７０３においては、携帯送信用画像管理部７３１、情報管理部７３２、サービス提供部７３３、および、表示用データ生成部７３４が実現される。
【０１５１】
携帯送信用画像管理部７３１は、写真シール作成装置１から送信されてきたサーバ送信用画像を取得し、サーバ送信用画像のうち、携帯送信用画像として選択された画像を携帯送信用画像IDに基づいて特定する。携帯送信用画像管理部７３１は、携帯送信用画像に、保存先となるURL（Uniform Resource Locator）を割り当て、記憶部７１８に携帯送信用画像を記憶させる。携帯送信用画像管理部７３１は、通信部７１９を制御し、保存先URLを含む電子メールを携帯端末７０２に送信する。保存先URLは、携帯端末７０２が、記憶部７１８に記憶された携帯送信用画像にアクセスし、ユーザに提示するためのアクセス情報となる。また、携帯送信用画像管理部７３１は、画像管理情報に基づいて、携帯送信用画像を管理する。
【０１５２】
情報管理部７３２は、携帯送信用画像管理部７３１が携帯送信用画像を管理するための画像管理情報を記憶部７１８に記憶させ、携帯端末IDと紐付けて管理する。サービス提供部７３３は、各種のサイトを管理し、サイトにアクセスしてきた携帯端末７０２に対して各種のサービスを提供する。サービス提供部７３３は、リンク情報、リンク情報の日時情報、および、リンク情報に紐付けられている地域情報を管理するリンク情報管理手段でもある。
【０１５３】
写真シール作成装置１との通信、および携帯端末７０２との通信は、それぞれ、携帯送信用画像管理部７３１、情報管理部７３２、サービス提供部７３３により通信部７１９が制御されることによって行われる。
【０１５４】
表示用データ生成部７３４は、写真シール作成装置１が備えるカメラ９１（撮影手段）が撮影した撮影画像と、ユーザ画像とをカレンダー上に表示する表示用データを生成する。カレンダーは、１か月をまとめて表示するもの以外に、週間を一覧でまとめるものであってもよい。ユーザ画像とは、ユーザが所持する画像であって、撮影画像とは異なる画像のことを指す。ユーザ画像は、ユーザの携帯端末に格納されている画像であって、ユーザが被写体として写っている画像、ユーザが携帯端末を用いて撮影した画像など、ユーザとの関連性が強い画像と言い換えることも可能である。
［携帯端末の構成例］
図２２は、携帯端末７０２の構成例を示すブロック図である。
【０１５５】
携帯端末７０２は、制御部７４１、アンテナ７４２、通信部７４３（送信手段、受信手段）、記憶部７４４、表示部７４５（表示手段）、非接触型IC７４６、操作部７４７、カメラ部７４８（撮影手段）、および、GPS（Global Positioning System）４７９（位置情報取得手段）から構成される。
【０１５６】
制御部７４１は、CPU，ROM，RAMなどよりなり、所定のプログラムを実行し、携帯端末７０２の全体の動作を制御する。例えば、制御部７４１は、通信部７４３を制御して管理サーバ７０３と通信を行い、非接触型IC７４６を制御して写真シール作成装置１と通信を行う。
【０１５７】
通信部７４３は、基地局から送信された電波が受信されることに応じてアンテナ７４２から供給された信号の復調処理を行い、復調処理を行うことによって得られた情報を制御部７４１に出力する。また、通信部７４３は、制御部７４１から供給された情報に対して変調処理を施し、得られた信号をアンテナ７４２から送信する。
【０１５８】
記憶部７４４はフラッシュメモリなどよりなり、携帯端末ID、メールアドレス、管理サーバ７０３からダウンロードされた携帯送信用画像、カメラ部７４８が撮影した端末画像などの各種の情報を記憶する。
【０１５９】
表示部７４５はLCDなどよりなり、各種の情報を表示する。例えば表示部７４５には、管理サーバ７０３から送信され、通信部７４３において受信された携帯送信用画像が表示される。
【０１６０】
非接触型IC７４６は、写真シール作成装置１の非接触型ICリーダ／ライタ１６３との通信可能範囲にあるとき、非接触型ICリーダ／ライタ１６３と近接通信を行う。
【０１６１】
操作部７４７は、各種のボタンや表示部７４５に重ねて設けられたタッチパネルより構成され、ユーザの操作の内容を表す信号を制御部７４１に出力する。
【０１６２】
カメラ部７４８は、被写体を撮影して端末画像を生成する撮影手段である。この被写体とは、ユーザ自身およびユーザ以外の人物に限定されるものではなく、山などを含む風景、鉄道、自動車などユーザの嗜好に関わるものであってもよい。
【０１６３】
GPS４７９は、携帯端末７０２の位置情報を取得する位置情報取得手段である。
＜情報管理システムの動作＞
次に、図２３のフローチャートを参照して、写真シール作成装置１において得られた携帯送信用画像を、管理サーバ７０３に提供し、携帯端末７０２に送信するまでの一連の処理について説明する。
【０１６４】
なお、図２３のフローチャートにおけるステップＳ１１１乃至Ｓ１１６の処理は、図１２のフローチャートにおけるステップＳ１乃至Ｓ８の処理と同様であるので、その説明は省略する。
【０１６５】
ステップＳ１１８において、事後接客処理部３０５は、記憶部２０２から編集済み画像を読み出し、その編集済み画像をサーバ送信用画像として、それぞれのサーバ送信用画像にIDを設定する。事後接客処理部３０５は、サーバ送信用画像ID、サーバ送信用画像、および、サーバ送信用画像の日時情報を管理サーバ７０３に送信する。
【０１６６】
管理サーバ７０３においては、ステップＳ１３１において、携帯送信用画像管理部７３１が、写真シール作成装置１から送信されてきたサーバ送信用画像とサーバ送信用画像IDとサーバ送信用画像の日時情報を受信し、それぞれを対応付けて記憶部７１８に記憶させる。
【０１６７】
なお、写真シール作成装置１から管理サーバ７０３に送信されるサーバ送信用画像には、撮影画像に対して落書き編集を行った編集済み画像の他、上述で説明した「使えるプリ画」が含まれる。使えるプリ画のサイズは、用途によっては、通常の編集済み画像のサイズと異なるが、使えるプリ画が管理サーバ７０３に送信される際には、使えるプリ画のサイズを、編集済み画像のサイズと同じサイズにして送信するようにしてもよい。
【０１６８】
さて、ステップＳ１１９において、写真シール作成装置１の事後接客処理部３０５は、タブレット内蔵モニタ１６１に携帯送信用画像選択画面を表示させ、ユーザに携帯送信用画像を選択させて、ユーザの選択を受け付ける。
【０１６９】
ステップＳ１２０において、事後接客処理部３０５は、携帯送信用画像選択画面において、ユーザにより選択された携帯送信用画像のID（携帯送信用画像ID）を管理サーバ７０３に送信する。
【０１７０】
携帯端末７０２においては、ステップＳ１５１において、カメラ部７４８は撮影処理を行う。撮影処理によって生成された端末画像および端末画像の日時情報は、ステップＳ１５２において記憶部７４４に記憶される。また、端末画像および端末情報の日時情報は、通信部７４３を介して管理サーバ７０３に送信される。
【０１７１】
管理サーバ７０３は、ステップＳ１３２において、端末画像および端末画像の日時情報を受信し、記憶部７１８に記憶させる。管理サーバ７０３において、端末画像はユーザ画像として扱われる。
【０１７２】
ステップＳ１３３において、表示用データ生成部７３４は、撮影画像と、ユーザ画像とをカレンダー上に表示する表示用データを生成する。ステップＳ１３４において、管理サーバ７０３は、通信部７１９を介して表示用データを携帯端末７０２に送信する。
【０１７３】
ステップＳ１５３において、携帯端末７０２が備える通信部７４３は、管理サーバ７０３から送信された表示用データを受信する。携帯端末７０２が備える制御部７４１は、表示用データを記憶部７４４に記憶させる。ステップＳ１５４において、制御部７４１は、表示用データを表示部７４５に表示させる。より具体的には、表示部７４５は、カレンダー上の日付情報によって紐付けられている日付に対応する領域に、撮影画像およびユーザ画像を表示する（図２７参照）。ユーザは、表示部７４５に表示されているカレンダー上の撮影画像またはユーザ画像のうち、閲覧したい画像を選択することが可能である。カレンダー上に表示されている撮影画像およびユーザ画像のいずれかがユーザによって選択されると、ステップＳ１５５において、制御部７４１は、表示部７４５が表示する画面を遷移させ、選択された画像を表示する（図２８（ａ）、（ｂ）および図２９（ｂ）参照）。
【０１７４】
表示部７４５に表示されているカレンダー上には、撮影画像およびユーザ画像のほかに、後述するリンク情報を示すアイコンがさらに表示されている。ユーザがカレンダー上に表示されているリンク情報を示すアイコンを選択すると、携帯端末７０２は、当該アイコンに関連付けられているリンク情報を管理サーバ７０３に要求する（ステップＳ１５６）。
【０１７５】
管理サーバ７０３においては、ステップＳ１３５において、通信部７１９は携帯端末７０２からのリンク情報の要求を受信する。サービス提供部７３３（リンク情報管理手段）は、ドライブ７２０に記録されている複数のリンク情報の中から、要求されたリンク情報を選択する。制御部７４１は、通信部７４３を制御することによって、サービス提供部７３３が選択したサービス情報を、携帯端末７０２に送信する（ステップＳ１３６）。
【０１７６】
携帯端末７０２においては、ステップＳ１５７において、携帯端末７０２が備える通信部７４３は、管理サーバ７０３から送信されたリンク情報を受信する。携帯端末７０２が備える制御部７４１は、リンク情報を記憶部７４４に記憶させる。ステップＳ１５８において、制御部７４１は、リンク情報を表示部７４５に表示させる（図３０または図３１参照）。
【０１７７】
携帯端末７０２において、撮影処理（ステップＳ１５１）、端末画像を送信する処理（ステップＳ１５２）、カレンダーを表示する処理（ステップＳ１５３およびＳ１５４）、および、リンク情報を表示する処理（ステップＳ１５６〜ステップＳ１５８）を実行する順番は限定されるものではない。ユーザは、上述の各処理を任意に実行可能である。
＜日時情報の変形例＞
上述の情報管理システムの動作において、撮影画像の日時情報は、各撮影画像を撮影した日時に関する日時情報であり、端末画像の日時情報は、各端末画像を撮影した日時に関する日時情報であるとして説明した。しかし、撮影画像の日時情報および端末画像の日時情報は、上記の例に限定されるものではない。たとえば、撮影画像の日時情報は、写真シール作成装置１から送信された撮影画像を、管理サーバ７０３が受信した日時に関する日時情報であってもよい。管理サーバ７０３が撮影画像を受信した日時とは、管理サーバ７０３が受信した撮影画像を記憶部７１８に保存した日時とも表現可能である。端末画像の日時情報は、携帯端末７０２が端末画像を保存した日時に関する日時情報であってもよい。
【０１７８】
上記の構成によれば、表示部７４５に表示されるカレンダー上において、撮影画像は、管理サーバ７０３に保存された日付に対応する領域に表示される。また、端末画像は、携帯端末７０２に保存された日時に対応する領域に表示される。
［より詳細な画像管理情報の例１］
図２４は、用途情報が「コーデアルバム」である場合の、より詳細な画像管理情報の例を示している。
【０１７９】
図２４の画像管理情報は、用途情報、画像ID、アイテムスタンプ利用フラグ、コーデアルバム専用ペン入力内容、撮影コース、および撮影テーマから構成されている。
【０１８０】
上述したように、図２４の画像管理情報においては、用途情報は全て「コーデアルバム」である。また、用途情報、アイテムスタンプ利用フラグ、コーデアルバム専用ペン入力内容、撮影コース、および撮影テーマは、画像管理情報における付加情報に対応する。
【０１８１】
画像IDは、写真シール作成装置１から送信されてくる携帯送信用画像（使えるプリ画）を特定する情報であり、図２４の画像管理情報においては、撮影日時、機器ID、および、その撮影日時、機器IDで示される年月日、写真シール作成装置１で撮影された撮影画像に対してシーケンシャルに振られる番号である連番からなる。
【０１８２】
アイテムスタンプ利用フラグは、写真シール作成装置１における編集処理において、図１７を参照して説明した、「コーデアルバム」の使えるプリ画に対して合成されるアイテムスタンプの利用の有無を示す情報である。図２４の画像管理情報においては、アイテムスタンプ利用フラグとして、アイテムスタンプＡ乃至アイテムスタンプＺの利用の有無が示されており、「コーデアルバム」の使えるプリ画に対してそのアイテムスタンプが合成されていれば「１」が示され、そのアイテムスタンプが合成されていなければ「０」が示される。
【０１８３】
コーデアルバム専用ペン入力内容は、写真シール作成装置１における編集処理において、「コーデアルバム」の使えるプリ画に対して、コーデアルバム専用ペンツールにより入力された文字や記号等の内容を示す情報である。
【０１８４】
撮影コースは、写真シール作成装置１における撮影処理において、ユーザにより選択された撮影コースを示す情報であり、例えば、「カップルコース」と「フレンドコース」とがある。
【０１８５】
撮影テーマは、写真シール作成装置１における撮影処理において、ユーザにより選択された撮影テーマを示す情報であり、例えば、「カジュアル」、「コンサバ」等とがある。
【０１８６】
また、図２４の画像管理情報は、ユーザの所有する携帯端末７０２の携帯端末IDおよびメールアドレスに紐付けられているものとする。
【０１８７】
なお、ここでは、写真シール作成装置１から管理サーバ７０３に送信されるサーバ送信用画像が、「コーデアルバム」の使えるプリ画である場合、その使えるプリ画および暗号化された画像ID（撮影日時、機器ID、連番）とともに、以下に示す、撮影または編集に関する情報である関連情報が写真シール作成装置１から管理サーバ７０３に送信される。
【０１８８】
・編集処理において合成されたアイテムスタンプを表す情報
・編集処理においてコーデアルバム専用ペンツールにより入力された内容を表す情報
・撮影処理において選択された撮影コースを表す情報
・撮影処理において選択された撮影テーマを表す情報
以上のような情報に基づいて、管理サーバ７０３の情報管理部７３２は、図２４に示される画像管理情報を生成し、管理する。すなわち、情報管理部７３２は、「コーデアルバム」の使えるプリ画を、関連情報に対応付けて管理する。なお、「コーデアルバム」の使えるプリ画は、管理サーバ７０３において、携帯端末７０２での表示に適したサイズに縮小されて記憶される。
【０１８９】
そして、携帯端末７０２から「コーデアルバム」の使えるプリ画の読み出しが要求された場合、管理サーバ７０３のサービス提供部７３３は、携帯端末７０２からの要求に対応する関連情報に対応付けて管理されている使えるプリ画を記憶部７１８から読み出し、携帯端末７０２に提供する。
【０１９０】
例えば、携帯端末７０２から、「Ｔシャツ」をキーワードとして、「コーデアルバム」の使えるプリ画を検索する旨の要求がされた場合、管理サーバ７０３のサービス提供部７３３は、「Ｔシャツ」のアイテムスタンプが合成されている使えるプリ画を記憶部７１８から読み出し、携帯端末７０２に提供する。
【０１９１】
また、携帯端末７０２から、所定のブランド名をキーワードとして、「コーデアルバム」の使えるプリ画を検索する旨の要求がされた場合、管理サーバ７０３のサービス提供部７３３は、そのブランド名のアイテムスタンプが合成されている使えるプリ画を記憶部７１８から読み出し、携帯端末７０２に提供する。
【０１９２】
さらに、携帯端末７０２から、「カジュアル」をキーワードとして、「コーデアルバム」の使えるプリ画を検索する旨の要求がされた場合、管理サーバ７０３のサービス提供部７３３は、撮影テーマが「カジュアル」で撮影された撮影画像を含む使えるプリ画を記憶部７１８から読み出し、携帯端末７０２に提供する。
【０１９３】
これにより、使えるプリ画が、撮影または編集に関する関連情報毎に表示されるようになる。したがって、ユーザが、過去に撮影した画像を携帯端末から検索する際、撮影時の設定や編集時に入力した内容を基に検索することができるので、所望の画像を容易に検索することができ、携帯端末のユーザの満足度を向上させることが可能となる。
【０１９４】
なお、「コーデアルバム」の使えるプリ画（以下、コーデアルバム画像ともいう）が公開設定されている場合には、他のユーザの携帯端末からの要求に応じて、その要求に対応する関連情報に対応付けて管理されている使えるプリ画を、他のユーザの携帯端末に提供するようにしてもよい。これにより、他のユーザは、様々な条件に合致したコーデアルバム画像を閲覧することができ、これをコーディネートの参考とすることができる。
【０１９５】
また、公開設定されているコーデアルバム画像を、そのコーデアルバム画像を公開しているサイトと提携している雑誌等に掲載するようにしてもよい。
【０１９６】
具体的には、図２５の矢印＃１１で示されるように、まず、ユーザの携帯端末７０２と、店舗１５０１にある所定の端末装置（以下、単に、店舗１５０１という）とが非接触通信を行う等して、携帯端末７０２の携帯端末IDが、店舗１５０１に送信される。次に、矢印＃１２に示されるように、店舗１５０１は、携帯端末IDと、ユーザが購入した商品のブランドを表すブランド情報とを、管理サーバ７０３に送信する。管理サーバ７０３においては、携帯端末IDとブランド情報とが紐付けられて、記憶されている。
【０１９７】
一方、ユーザの写真シール作成装置１におけるコーデアルバム画像の撮影前または撮影後に、ユーザの携帯端末７０２と写真シール作成装置１とが非接触通信を行う等することにより、矢印＃１３に示されるように、携帯端末７０２の携帯端末IDが、写真シール作成装置１に送信される。その後、矢印＃１４に示されるように、写真シール作成装置１は、携帯端末IDと、撮影および編集の結果得られたコーデアルバム画像とを、管理サーバ７０３に送信する。管理サーバ７０３においては、携帯端末IDに紐付けられた画像管理情報に基づいて、コーデアルバム画像が管理されている。
【０１９８】
そして、携帯端末７０２から管理サーバ７０３に対して、コーデアルバム画像の提示（送信）の要求があった場合、管理サーバ７０３は、携帯端末IDに紐付けられた画像管理情報に基づいて管理されているコーデアルバム画像を、携帯端末７０２に提供する。また、管理サーバ７０３は、携帯端末IDに紐付けられているブランド情報で表わされるブランドに応じた（例えば、ブランドのロゴの入った）合成用画像を、携帯端末７０２に提供する。
【０１９９】
これにより、ユーザは、携帯端末上で、ユーザの好みのブランドに応じた合成用画像を用いてコーデアルバム画像を再編集することができ、ユーザの好みにより近い画像を提供することができるようになる。
【０２００】
なお、図２５において、携帯端末IDは、ユーザを特定することができる情報であればよく、例えば、直接入力が可能な文字列や、顔や指紋等の生体情報の認証結果、ユーザ固有のIDカードの情報等であってもよい。この場合、店舗１５０１および写真シール作成装置１には、文字列入力画面や、生体情報の認証装置、IDカードの読み取り装置等を備える必要がある。
【０２０１】
また、店舗１５０１から、あるいは、店舗の最新のブランドの情報を持つ店舗管理サーバ（図示せず）から、写真シール作成装置１に、最新のブランドに関するコンテンツなどのデータを送信するようにしてもよい。これにより写真シール作成装置１は、最新のブランドに関するコンテンツを、ユーザの撮影時および画像の編集時に利用することができる。
【０２０２】
また、画像管理情報に含まれる情報に基づいて、サイト上で、コーデアルバム画像の服装を変更（着せ替え）できるようにしてもよい。具体的には、管理サーバ７０３が、撮影テーマと着せ替え用の服飾画像（合成用画像）とを紐付けて記憶しておき、携帯端末７０２において、撮影テーマが「コンサバ」であるコーデアルバム画像が表示されているときに、管理サーバ７０３が、「コンサバ」に紐付けられている服飾画像を、携帯端末７０２に提供し、ユーザに選択させるようにしてもよい。これにより、ユーザは、様々なコーディネートのコーデアルバム画像を記録することができるようになる。なお、この場合、コーデアルバム画像の服装を着せ替えできるように、写真シール作成装置１において、撮影時に、着せ替え用の服飾画像に合ったポーズをユーザに取らせるように指示させる。
［携帯端末の表示例］
図２７は、情報管理システムが含む携帯端末７０２が表示するカレンダーの例を示す図である。携帯端末７０２が備える制御部７４１は、表示用データに基づいて、カレンダー上に撮影画像８００、ユーザ画像８０２、および、リンク情報を示すアイコンを表示する。リンク情報を示すアイコンは、アイコン８０６、アイコン８０８ａおよび８０８ｂというように複数の種類があってもよい。
【０２０３】
撮影画像８００は、写真シール作成装置１によって生成された撮影画像である。撮影画像８００に紐付けられている日時情報は、たとえば２０１２年３月９日である。したがって、撮影画像８００は、カレンダー上の２０１２年３月９日の欄に表示されている。２０１２年３月９日の日付情報に紐付けられている撮影画像が複数存在する場合には、該当する撮影画像のうちのいずれか１枚を表示してもよいし、数枚を選択して表示してもよい。制御部７４１は撮影画像８００をカレンダー上に表示する際に、写真シール作成装置１が生成した撮影画像そのものを縮小して表示してもよい。また、写真シール作成装置１が生成した撮影画像を示すサムネイルを、撮影画像８００として表示してもよい。
【０２０４】
撮影画像８００を表示するほかの態様として、撮影画像を生成した写真シール作成装置１の名称と、ゲームを行った回数とを示す文字列によって表示してもよい。たとえば、「Ｌｕｍｉ」という写真シール作成装置において３回目にプレーした際に生成された撮影画像８００のことを、「Ｌｕｍｉ：３」という文字列としてもよい。撮影画像８００のさらに別の態様として、撮影画像を生成した写真シール作成装置１をイメージする画像と、ゲームを行った回数とをまとめて表示してもよい。
【０２０５】
ユーザが所持する画像のうち、撮影画像とは異なるユーザ画像８０２は、図２７においてユーザ画像を示すアイコンによって表示されている。このことによって、ユーザはカレンダー上に表示されている画像が、撮影画像であるのか、ユーザ画像であるのかを容易に判別することが可能である。ユーザ画像８０２に紐付けられている日付情報は、たとえば２０１２年３月１０日である。したがって、ユーザ画像８０２は、カレンダー上の２０１２年３月１０日の欄に表示されている。
【０２０６】
なお、カレンダーには、撮影画像８００、ユーザ画像８０２、および、リンク情報を示すアイコンのいずれも表示されていない日がある。たとえば、２０１２年３月１５日には、撮影画像８００、ユーザ画像８０２、および、リンク情報を示すアイコンのいずれも表示されていない。したがって、２０１２年３月１５日には空白領域８０４が存在する。
【０２０７】
なお、リンク情報を示すアイコン８０６、８０８ａおよび８０８ｂについては後述する。
【０２０８】
図２８は、携帯端末７０２が表示する画面の遷移の例を示す図である。ユーザは、図２７に示すカレンダー上に表示されている撮影画像８００、ユーザ画像８０２、空白領域８０４、および、リンク情報を示すアイコンのいずれかを選択可能である。ここでは、撮影画像８００、および、空白領域８０４のいずれかを選択した場合について説明する。
【０２０９】
図２８（ａ）および（ｂ）は、ユーザが撮影画像８００を選択した場合に、カレンダーから遷移する画面を示す図である。図２８（ａ）は、２０１２年３月１６日の日時情報に紐付けられている撮影画像およびユーザ画像が存在する場合の画面を示している。より具体的には、複数の撮影画像８１０ａ、８１０ｂおよび８１０ｃと、複数のユーザ画像８１２ａ、８１２ｂおよび８１２ｃが表示されている。なお、表示されている撮影画像８１０ａ〜８１０ｃおよびユーザ画像８１２ａ〜８１２ｃのいずれかをユーザが選択した場合には、制御部７４１は、選択された画像を大きく表示部７４５に表示してもよい。
【０２１０】
図２８（ｂ）は、２０１２年３月１６日の日時情報に紐付けられている撮影画像が存在する場合の画面を示している。２０１２年３月１６日の日時情報に紐付けられているユーザ画像がない場合、ユーザ画像サイトへのリンクを示すバナーを表示してもよい。
【０２１１】
図２８（ｃ）は、カレンダー上の２０１２年３月１６日に対応する領域が空白領域８０４であった場合に、カレンダーから遷移する画面を示す図である。この場合、２０１２年３月１６日の日付情報に紐付けられている撮影画像およびユーザ画像はないため、図２８（ｃ）に表示される画像はない。２０１２年３月１６日の日付情報に紐付けられている撮影画像がない場合、最新の写真シール作成装置の情報を表示するwebページへのリンクを示すバナーを表示してもよい。
【０２１２】
図２９は、図２７に示すカレンダーにおいて、ユーザ画像８０２をユーザが選択した場合に、カレンダーから遷移する画面を示す図である。ユーザがユーザ画像８０２を選択すると、それまでユーザ画像を示すアイコンによって表示されていたユーザ画像８０２が、ユーザ画像の画像を示すユーザ画像８０２’に遷移する。一方、それまで画像によって表示されていた撮影画像８００は、撮影画像を示すアイコンによって表示される撮影画像８００’に遷移する。当該構成によれば、ユーザは、撮影画像とユーザ画像とを容易に判別可能なうえ、ユーザ画像の内容を容易に把握することが可能になる。
【０２１３】
図２９（ｂ）は、ユーザ画像８０２’を選択した場合に、図２９（ａ）から遷移する画面を示す図である。この場合、２０１２年３月２６日の日付情報に紐付けられている撮影画像８１０ａ〜８１０ｃおよびユーザ画像８１２ａ〜８１２ｃが画面に表示されている。
【０２１４】
図３０は、図２７に示すカレンダー上に表示されるリンク情報を示すアイコン８０６をユーザが選択した場合に、カレンダーから遷移する画面を示す図である。より具体的には、リンク情報を示すアイコン８０６が選択されることによって、制御部７４１は、選択されたリンク情報を表示部７４５に示す。
【０２１５】
図３０に示すリンク情報は、最新の写真シール作成装置に関する情報である。当該リンク情報は、２０１２年３月２６日の日付情報に紐付けられている。管理サーバ７０３が備える情報管理部７３２は、リンク情報に紐付けられている地域情報を管理している。情報管理部７３２は、携帯端末７０２から送信される携帯端末７０２の位置情報と、リンク情報の地域情報とに基づいて、ドライブ７２０に記憶されている複数のリンク情報から、携帯端末７０２の位置情報に近い地域情報を含むリンク情報を選択する。表示用データ生成部７３４は、情報管理部７３２が選択したリンク情報を示すアイコンをカレンダー上に表示する表示用データを生成し、携帯端末７０２に送信する。
【０２１６】
図３０に表示されているリンク情報は、このように選択されたリンク情報である。したがって、リンク情報に掲載されている「新機種□□□」を利用可能な２つの店舗は、ユーザが所持している携帯端末７０２の位置と近い可能性が高い。この構成によれば、ユーザが容易にアクセス可能な店舗情報を、リンク情報として提供することができる。ＭＡＰ８２０および８２２を選択すれば、各店舗周辺の地図が表示される。また、「新機種□□□」を紹介するwebページへのリンクを示すバナー８２４ａおよび８２４ｂを、リンク情報として表示してもよい。
【０２１７】
図３１は、ユーザが、リンク情報を示すアイコン８０８ａおよび８０８ｂを選択した際に、カレンダーから遷移する画像を示す図である。リンク情報は、２０１２年３月２８日の日付情報に紐付けられている占い情報である。図３１（ａ）は、リンク情報を示すアイコン８０８ａを選択した場合のリンク情報であり、図３１（ｂ）は、リンク情報を示すアイコン８０８ｂを選択した場合のリンク情報である。いずれのリンク情報にも、より詳細な占い情報を提供するwebページへのリンクおよびバナーが設置されている。図３１（ｂ）に示すリンク情報は、占い情報を提供するwebページへのリンクおよびバナーに加えて、予告情報を提供するwebページへのバナーが設けられている。
【０２１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２１９】
本発明は、写真シール作成装置において撮影した画像を、管理サーバにおいて管理したり、携帯端末において閲覧したりする情報管理システムとして、幅広く利用できる。
【符号の説明】
【０２２０】
１ 写真シール作成装置
１１ 撮影ユニット
１２ 編集部
１３ 事後接客部
２０１ 制御部
２０８ 撮影部
２０９ 編集部
２１０ 事後接客部
３０２ 撮影処理部
３０３ 編集処理部
３０４ 印刷処理部
３０５ 事後接客処理部
３１１ 進行制御部
３１２ 撮影準備処理部
３１３ 合成用画像選択制御部
３１４ ライブビュー表示制御部
３１５ 撮影画像取得部
３１６ 合成画像処理部
３１７ 用途選択制御部
３１８ 明るさ決定処理部
３１９ 目サイズ決定処理部
３２０ 用途情報生成部
７０２ 携帯端末
７０３ 管理サーバ
７３１ 携帯送信用画像管理部
７３２ 情報管理部
７３３ サービス提供部
【図１】
2014072800.tif 000003
【図２】
2014072800.tif 000004
【図３】
2014072800.tif 000005
【図４】
2014072800.tif 000006
【図５】
2014072800.tif 000007
【図６】
2014072800.tif 000008
【図７】
2014072800.tif 000009
【図８】
2014072800.tif 000010
【図９】
2014072800.tif 000011
【図１０】
2014072800.tif 000012
【図１１】
2014072800.tif 000013
【図１２】
2014072800.tif 000014
【図１３】
2014072800.tif 000015
【図１４】
2014072800.tif 000016
【図１５】
2014072800.tif 000017
【図１６】
2014072800.tif 000018
【図１７】
2014072800.tif 000019
【図１８】
2014072800.tif 000020
【図１９】
2014072800.tif 000021
【図２０】
2014072800.tif 000022
【図２１】
2014072800.tif 000023
【図２２】
2014072800.tif 000024
【図２３】
2014072800.tif 000025
【図２４】
2014072800.tif 000026
【図２５】
2014072800.tif 000027
【図２６】
2014072800.tif 000028
【図２７】
2014072800.tif 000029
【図２８】
2014072800.tif 000030
【図２９】
2014072800.tif 000031
【図３０】
2014072800.tif 000032
【図３１】
2014072800.tif 000033